(57)【要約】【課題】  操作の簡素化を図ることができる紙幣取扱機の提供。【解決手段】  開始指示部３３で一の処理の開始が指示された後、最初に識別部１５で識別した正券紙幣を基準紙幣とし、該基準紙幣および該基準紙幣と所定条件が一致する正券紙幣を対象紙幣として第１受取部１８に、正券以外の紙幣および基準紙幣に対し所定条件が不一致の正券紙幣を対象以外の紙幣として第２受取部２０にそれぞれ振り分ける。【選択図】        図１
2005275748.tif 000002
【特許請求の範囲】
【請求項１】
バラ紙幣が投入される投入部と、該投入部から紙幣を一枚ずつ繰り出す繰出部と、該繰出部で繰り出された紙幣を搬送する搬送部と、該搬送部で搬送される紙幣を識別する識別部と、処理の開始を指示する開始指示部を備え該開始指示部で一の処理の開始が指示されると、紙幣を前記繰出部で前記投入部から一枚ずつ繰り出させ前記搬送部で搬送させて前記識別部で識別させ該識別結果に基づいて、対象紙幣を受け取る第１受取部と対象以外の紙幣を受け取る第２受取部とに振り分ける制御部とを有する紙幣取扱機において、
前記制御部は、前記開始指示部で一の処理の開始が指示された後、最初に前記識別部で識別した正券紙幣を基準紙幣とし、該基準紙幣および該基準紙幣と所定条件が一致する正券紙幣を前記対象紙幣として前記第１受取部に、正券以外の紙幣および前記基準紙幣に対し前記所定条件が不一致の正券紙幣を前記対象以外の紙幣として前記第２受取部にそれぞれ振り分けることを特徴とする紙幣取扱機。
【請求項２】
前記所定条件が金種であることを特徴とする請求項１記載の紙幣取扱機。
【請求項３】
前記所定条件が金種および表裏の向きであることを特徴とする請求項１記載の紙幣取扱機。
【請求項４】
前記所定条件が金種、表裏の向きおよび天地の向きであることを特徴とする請求項１記載の紙幣取扱機。
【請求項５】
選択操作が入力される操作部を有しており、前記制御部は、前記操作部の選択操作に応じて、前記所定条件を金種とする第１の設定と、前記所定条件を金種および表裏の向きとする第２の設定と、前記所定条件を金種、表裏の向きおよび天地の向きとする第３の設定とに切り替えられることを特徴とする請求項１記載の紙幣取扱機。
【請求項６】
前記第１受取部は、紙幣を所定枚数集積して結束させる集積結束部であることを特徴とする請求項１乃至５のいずれか一項記載の紙幣取扱機。
【発明の詳細な説明】
【技術分野】
【０００１】
本発明は、紙幣を識別し識別結果に基づいて振り分ける紙幣取扱機に関する。
【背景技術】
【０００２】
紙幣を識別し識別結果に基づいて振り分ける紙幣取扱機に関するものとして、操作部のスイッチによって指定された金種の紙幣を、他の金種の紙幣と分離し、表裏を取り揃えた後に、集積部に送り込んで集積させて結束させる紙幣結束機がある。
【特許文献１】特開平６−２１９４１９号公報
【発明の開示】
【発明が解決しようとする課題】
【０００３】
しかしながら、上記の紙幣結束機においては、操作部のスイッチによる指定操作の入力が必要であり、操作が繁雑になってしまうという問題があった。
【０００４】
したがって、本発明は、操作の簡素化を図ることができる紙幣取扱機の提供を目的とする。
【課題を解決するための手段】
【０００５】
上記目的を達成するために、請求項１に係る発明は、バラ紙幣が投入される投入部と、該投入部から紙幣を一枚ずつ繰り出す繰出部と、該繰出部で繰り出された紙幣を搬送する搬送部と、該搬送部で搬送される紙幣を識別する識別部と、処理の開始を指示する開始指示部を備え該開始指示部で一の処理の開始が指示されると、紙幣を前記繰出部で前記投入部から一枚ずつ繰り出させ前記搬送部で搬送させて前記識別部で識別させ該識別結果に基づいて、対象紙幣を受け取る第１受取部と対象以外の紙幣を受け取る第２受取部とに振り分ける制御部とを有する紙幣取扱機において、前記制御部は、前記開始指示部で一の処理の開始が指示された後、最初に前記識別部で識別した正券紙幣を基準紙幣とし、該基準紙幣および該基準紙幣と所定条件が一致する正券紙幣を前記対象紙幣として前記第１受取部に、正券以外の紙幣および前記基準紙幣に対し前記所定条件が不一致の正券紙幣を前記対象以外の紙幣として前記第２受取部にそれぞれ振り分けることを特徴としている。
【０００６】
請求項２に係る発明は、請求項１に係る発明において、前記所定条件が金種であることを特徴としている。
【０００７】
請求項３に係る発明は、請求項１に係る発明において、前記所定条件が金種および表裏の向きであることを特徴としている。
【０００８】
請求項４に係る発明は、請求項１に係る発明において、前記所定条件が金種、表裏の向きおよび天地の向きであることを特徴としている。
【０００９】
請求項５に係る発明は、請求項１に係る発明において、選択操作が入力される操作部を有しており、前記制御部は、前記操作部の選択操作に応じて、前記所定条件を金種とする第１の設定と、前記所定条件を金種および表裏の向きとする第２の設定と、前記所定条件を金種、表裏の向きおよび天地の向きとする第３の設定とに切り替えられることを特徴としている。
【００１０】
請求項６に係る発明は、請求項１乃至３のいずれか一項に係る発明において、前記第１受取部は、紙幣を所定枚数集積して結束させる集積結束部であることを特徴としている。
【発明の効果】
【００１１】
請求項１に係る発明によれば、制御部は、開始指示部で一の処理の開始が指示された後、最初に識別部で識別した正券紙幣を基準紙幣とし、この基準紙幣およびこの基準紙幣と所定条件が一致する正券紙幣を対象紙幣として第１受取部に、正券以外の紙幣および基準紙幣に対し所定条件が不一致の正券紙幣を対象以外の紙幣として第２受取部にそれぞれ振り分ける。よって、一の処理の開始にあたって、どのような紙幣を集めたいかを一々操作入力する必要がなく、識別を開始させれば最初に識別された正券紙幣を基準紙幣としてこれと所定条件が一致する正券紙幣のみを集めることができる。したがって、操作の簡素化を図ることができる。
【００１２】
請求項２に係る発明によれば、制御部は、開始指示部で一の処理の開始が指示された後、最初に識別部で識別した正券紙幣を基準紙幣とし、この基準紙幣およびこの基準紙幣と金種が一致する正券紙幣を対象紙幣として第１受取部に、正券以外の紙幣および基準紙幣に対し金種が不一致の正券紙幣を対象以外の紙幣として第２受取部にそれぞれ振り分ける。よって、一の処理の開始にあたって、どの金種の紙幣を集めたいかを一々操作入力する必要がなく、識別を開始させれば最初に識別された正券紙幣を基準紙幣としてこれと金種が一致する正券紙幣のみを集めることができる。したがって、同金種紙幣を集める場合の操作の簡素化を図ることができる。
【００１３】
請求項３に係る発明によれば、制御部は、開始指示部で一の処理の開始が指示された後、最初に識別部で識別した正券紙幣を基準紙幣とし、この基準紙幣およびこの基準紙幣と金種および表裏の向きが一致する正券紙幣を対象紙幣として第１受取部に、正券以外の紙幣、基準紙幣に対し金種が不一致の正券紙幣および基準紙幣に対し金種が一致して表裏の向きが不一致の正券紙幣を対象以外の紙幣として第２受取部にそれぞれ振り分ける。よって、一の処理の開始にあたって、表裏取り揃えてどの金種の紙幣を集めたいかを一々操作入力する必要がなく、識別を開始させれば最初に識別された正券紙幣を基準紙幣としてこれと金種および表裏の向きが一致する正券紙幣のみを集めることができる。したがって、同金種紙幣を表裏取り揃えて集める場合の操作の簡素化を図ることができる。
【００１４】
請求項４に係る発明によれば、制御部は、開始指示部で一の処理の開始が指示された後、最初に識別部で識別した正券紙幣を基準紙幣とし、この基準紙幣およびこの基準紙幣と金種、表裏の向きおよび天地の向きが一致する紙幣を対象紙幣として第１受取部に、正券以外の紙幣、基準紙幣に対し金種が不一致の正券紙幣、基準紙幣に対し金種が一致して表裏の向きが不一致の正券紙幣および基準紙幣に対し金種が一致し表裏の向きが一致して天地の向きが不一致の正券紙幣を対象以外の紙幣として第２受取部にそれぞれ振り分ける。よって、一の処理の開始にあたって、表裏および天地を取り揃えた状態でどの金種の紙幣を集めたいかを一々操作入力する必要がなく、識別を開始させれば最初に識別された正券紙幣を基準紙幣としてこれと金種、表裏の向きおよび天地の向きが一致する正券紙幣のみを集めることができる。したがって、同金種紙幣を表裏および天地を取り揃えて集める場合の操作の簡素化を図ることができる。
【００１５】
請求項５に係る発明によれば、操作部の選択操作に応じて、制御部が、所定条件を金種とする第１の設定と、所定条件を金種および表裏の向きとする第２の設定と、所定条件を金種、表裏の向きおよび天地の向きとする第３の設定とに切り替えられる。そして、第１の設定とされると、制御部は、開始指示部で一の処理の開始が指示された後、最初に識別部で識別した正券紙幣を基準紙幣とし、この基準紙幣およびこの基準紙幣と金種が一致する正券紙幣を対象紙幣として第１受取部に、正券以外の紙幣および基準紙幣に対し金種が不一致の正券紙幣を対象以外の紙幣として第２受取部にそれぞれ振り分けることになり、一の処理の開始にあたって、どの金種の紙幣を集めたいかを一々操作入力する必要がなくなる。また、第２の設定とされると、開始指示部で一の処理の開始が指示された後、最初に識別部で識別した正券紙幣を基準紙幣とし、この基準紙幣およびこの基準紙幣と金種および表裏の向きが一致する正券紙幣を対象紙幣として第１受取部に、正券以外の紙幣、基準紙幣に対し金種が不一致の正券紙幣および基準紙幣に対し金種が一致し表裏の向きが不一致の紙幣を対象以外の紙幣として第２受取部にそれぞれ振り分けることになり、一の処理の開始にあたって、表裏取り揃えてどの金種の紙幣を集めたいかを一々操作入力する必要がなくなる。さらに、第３の設定とされると、開始指示部で一の処理の開始が指示された後、最初に識別部で識別した正券紙幣を基準紙幣とし、この基準紙幣およびこの基準紙幣と金種、表裏の向きおよび天地の向きが一致する紙幣を対象紙幣として第１受取部に、正券以外の紙幣、基準紙幣に対し金種が不一致の正券紙幣、基準紙幣に対し金種が一致して表裏が不一致の正券紙幣および基準紙幣に対し金種が一致し表裏が一致して天地が不一致の正券紙幣を対象以外の紙幣として第２受取部にそれぞれ振り分けることになり、一の処理の開始にあたって、表裏および天地を取り揃えた状態でどの金種の紙幣を集めたいかを一々操作入力する必要がなくなる。このように、必要に応じてどの条件で紙幣を集めるかを切り替えることができる。
【００１６】
請求項６によれば、第１受取部で受け取った紙幣を所定枚数集積して結束させることになる。このように結束を目的とするものにおいて結束に特化されたものであればすでに金種分類等された状態にある紙幣を結束させることになる場合が多いので上記のように最初に識別した紙幣を基準紙幣とするのに好適となる。
【発明を実施するための最良の形態】
【００１７】
本発明の第１実施形態の紙幣取扱機を図１および図２を参照して以下に説明する。
【００１８】
第１実施形態の紙幣取扱機は、結束に特化した紙幣結束機１１であり、図１に概略構成を示すように、機体の前側（操作者側）かつ上側に設けられてバラ紙幣が機外から投入されるホッパ１２（投入部）と、このホッパ１２の機体前後方向後側に設けられてホッパ１２に投入された紙幣を一枚ずつ分離して繰り出す繰出部１３と、この繰出部１３で繰り出された紙幣を搬送する搬送部１４と、搬送部１４に設けられこの搬送部１４で搬送される紙幣を識別する識別部１５とを有している。
【００１９】
ホッパ１２には、バラ紙幣が長手方向を機体左右方向に沿わせた状態で投入されることになり、搬送部１４は、繰出部１３から繰り出された紙幣を一枚ずつ分離した状態で、しかも短手方向（幅方向）を搬送方向に沿わせた姿勢で搬送することになる。ここで、搬送部１４はホッパ１２から機体前後方向における後方かつ後側ほど下がるように傾斜して延在した後に機体の後端近傍で折り返し機体前後方向における前方に水平に沿って延在しており、識別部１５はホッパ１２の直後である搬送部１４の後ろ下がりの部分に設けられる。識別部１５は、紙幣の画像データ等から金種、真偽、正損、表裏の向きおよび天地（上下）の向き等を識別する。
【００２０】
紙幣結束機１１は、搬送部１４の末端位置に設けられて紙幣を受け取り受け取ったバラ紙幣を長手方向を機体左右方向に沿わせ短手方向を機体前後方向に沿わせた状態で上下方向に所定枚数（１００枚）ずつ集積させて集積紙幣とする集積部１８と、搬送部１４の途中位置から分岐して前上がりに延在する分岐搬送部１９と、分岐搬送部１９の末端位置に設けられて紙幣を受け取り受け取った紙幣を機外に取り出し可能とするリジェクト部（第２受取部）２０と、分岐搬送部１９の分岐位置に設けられ紙幣をそのまま搬送部１４で集積部１８に搬送する状態と分岐搬送部１９でリジェクト部２０に搬送する状態とに切り替える、言い換えれば紙幣を集積部１８とリジェクト部２０とに振り分ける振分部２１とを有している。
【００２１】
ここで、第１実施形態は紙幣結束機１１であることから、その制御部２２は、バラ紙幣をホッパ１２から繰出部１３で一枚ずつ繰り出させ搬送部１４で搬送させて識別部１５で識別させ、この識別結果に基づき振分部２１によって、結束対象紙幣（対象紙幣）を集積部１８に、結束対象以外の紙幣（対象以外の紙幣）をリジェクト部２０にそれぞれ振り分ける。
【００２２】
リジェクト部２０は、機体前部におけるホッパ１２の下側に設けられており、機体前部におけるこれらホッパ１２およびリジェクト部２０の間には、操作者に対し表示を行うとともに操作者から操作入力がなされる表示操作部（操作部）２３が設けられている。
【００２３】
紙幣結束機１１は、集積部１８の機体前後方向における前側であって機体前部となる位置に、集積部１８から水平前方に送り出された集積紙幣を結束テープで結束させる結束部２５を有している。なお、集積部１８と結束部２５とで紙幣を所定枚数集積して結束させる集積結束部（第１受取部）２６が構成されている。
【００２４】
紙幣結束機１１は、結束部２５の機体前後方向における前側に、結束された集積紙幣Ｓを機外に放出させる束放出口２８を有しており、この束放出口２８の機体前後方向における前には結束された集積紙幣Ｓを受け入れる収納ボックス２９が配置されている。
【００２５】
紙幣結束機１１は、結束部２５の下側に、結束された集積紙幣Ｓの結束テープに日付を印字したり予め定められた情報のスタンプ印を押印したりする表示記載部３１を有しており、その機体前後方向における後側に結束テープを収納するテープ収納部３４を、集積部１８の後側に電源部３２および上記した制御部２２を有している。
【００２６】
ここで、制御部２２は、ホッパ１２にバラ紙幣が投入されると結束処理の開始を判定することになる。つまり、バラ紙幣が投入されたことを検出することで結束処理の開始を制御部２２に指示するセンサ（開始指示部）３３がホッパ１２に設けられている。なお、スタートボタンを設けて、スタートボタンの押下操作によって結束処理の開始を判定するようにしても良い。また、紙幣結束機１１は上記センサ３３以外にも各部に紙幣を検出するためのセンサが設けられている。
【００２７】
そして、第１実施形態において、制御部２２は、ホッパ１２から一枚ずつ繰り出されたバラ紙幣を識別部１５での識別結果に基づき振分部２１で、結束対象紙幣（対象紙幣）を集積部１８に、結束対象以外の紙幣（対象以外の紙幣）をリジェクト部２０にそれぞれ振り分けるとともに、集積部１８に振り分けられた紙幣が所定枚数（１００枚）集積されて集積紙幣Ｓになると、繰出部１３および搬送部１４を一旦停止させて集積紙幣Ｓを集積部１８から結束部２５に送って結束を行って、収納ボックス２９に排出させる一方、集積部１８の集積紙幣Ｓが結束部２５側に送られて集積部１８が次の集積が可能な状態になると、繰出部１３および搬送部１４の駆動を再開させるというように各部を制御する。その際にいずれの金種の紙幣を結束対象紙幣とするかの設定入力が省略されるようになっている。つまり、表示操作部２３には、金種を指定する指定部は設けられていない。表示操作部２３には結束テープに施す印字および押印等を設定する図示略の各種設定部が設けられている。
【００２８】
そして、制御部２２は、ホッパ１２にバラ紙幣が投入されたことをセンサ３３が検出することでこのセンサ３３で一の処理の開始が指示されると、その後、最初に識別部１５で識別した紙幣が真かつ汚損のない正券である場合に限りこの紙幣を基準紙幣とし、この基準紙幣と、真かつ汚損のない正券であってこの基準紙幣と金種（所定条件）が一致する紙幣とを結束対象紙幣として集積部１８に、それ以外の紙幣である、正券以外の紙幣およびこの基準紙幣と金種が不一致の正券紙幣を結束対象以外の紙幣としてすべてリジェクト部２０にそれぞれ振り分ける振り分けを、この一の処理が終了するまで行う。
【００２９】
なお、制御部２２は、ホッパ１２にバラ紙幣が投入されたことをセンサ３３が検出することでこのセンサ３３で一の処理の開始が指示されると、この指示後、機内のすべてのバラ紙幣が、リジェクト部２０に排出され、あるいは結束部２５で結束されて機外へ放出されるかして機内からなくなったことが各部に設けられたセンサで検出され、あるいは機内からなくなったことが検出された後に所定の待ち時間経過すると、この一の処理の終了と判定する。勿論、この一の処理終了と判定するまでにホッパ１２にバラ紙幣が追加投入されると、この一の処理を継続させる。
【００３０】
次に、上記した第１実施形態の制御部２２の制御内容を図２のフローチャートを参照してさらに説明する。
【００３１】
ホッパ１２にバラ紙幣が投入されたことをセンサ３３が検出することでこのセンサ３３から信号が出力されると、制御部２２は一の処理を開始することになり、まず、記憶していた結束対象金種設定を消去し（ステップＳ１）、次に、ホッパ１２に紙幣があるか否かを判定し（ステップＳ２）、ホッパ１２に紙幣があると、繰出部１３、搬送部１４および分岐搬送部１９を駆動する（ステップＳ３）。すると、ホッパ１２のバラ紙幣が繰出部１３で一枚ずつ分離されて搬送部１４に繰り出され搬送部１４で搬送される。そして、搬送部１４で搬送される紙幣について金種、真偽、汚損、表裏の向きおよび天地（上下）の向き等を識別する（ステップＳ４）。
【００３２】
次に、制御部２２は、紙幣が真かつ汚損のない正券であるか否かを判定し（ステップＳ５）、正券でない場合はこれをリジェクト部２０に案内する（ステップＳ６）。他方、ステップＳ５で正券である場合には、結束対象金種設定がされているか否かを判定し（ステップＳ７）、結束対象金種設定がされていなければ、この紙幣を基準紙幣としてその金種を結束対象金種として設定し記憶する（ステップＳ８）。つまり、一の処理の開始にともないステップＳ１で結束対象金種設定が消去された後に、最初に識別部１５で金種、真偽、汚損、表裏および天地が識別された紙幣について、これが正券である場合に限り、制御部２２は、この紙幣を基準紙幣としてその金種を結束対象金種として設定する。なお、最初に識別部１５で金種、真偽および汚損が識別された紙幣について、これが正券でない場合は排除されて、次の紙幣が正券である場合に、これを基準紙幣とする。つまり、一の処理の開始の後に、最初に正券と判定された紙幣を基準紙幣とする。なお、基準紙幣が決まり、結束対象金種が設定されるとその後の紙幣の判定についてはステップＳ７の後にステップＳ８に移行することがなくなるため、結束対象金種が変更されることはない。
【００３３】
基準紙幣とされた紙幣を含みそれ以降の正券紙幣について、結束対象金種と一致する結束対象紙幣であるか否かを判定し（ステップＳ９）、結束対象紙幣である場合には、これを集積部１８に案内する（ステップＳ１０）。他方、ステップＳ９で結束対象紙幣でないと判定された紙幣は、リジェクト部２０に案内する（ステップＳ６）。
【００３４】
紙幣を集積部１８に案内すると、制御部２２は、集積部１８の紙幣が所定の集積枚数である１００枚に達したか否かを判定し（ステップＳ１１）、１００枚に達していると、繰出部１３、搬送部１４および分岐搬送部１９を停止させ（ステップＳ１２）、集積部１８から結束部２５に集積紙幣Ｓを送って結束させる（ステップＳ１３）。なお、ステップＳ１３においては、集積部１８から結束部２５に集積紙幣Ｓを送り、集積部１８が次の集積を実行を可能な状態になると、ステップＳ２に戻る。
【００３５】
他方、ステップＳ１１において、集積部１８の紙幣が１００枚に達していない場合、ホッパ１２に紙幣が無いか有るかを確認し（ステップＳ１４）、ホッパ１２に紙幣がある場合は、ステップＳ４に進み、ホッパ１２に紙幣がない場合は、繰出部１３、搬送部１４および分岐搬送部１９を停止させて（ステップＳ１５）、ホッパ１２に紙幣が投入されるまで待機して（ステップＳ１６）、ホッパ１２に紙幣が投入されると、ステップＳ３に戻る。
【００３６】
以上に述べた第１実施形態によれば、制御部２２が、センサ３３で一の処理の開始が指示された後、最初に識別部１５で識別した正券紙幣を基準紙幣とし、この基準紙幣およびこの基準紙幣と金種が一致する正券紙幣を対象紙幣として集積部１８に、正券以外の紙幣および基準紙幣に対し金種が不一致の正券紙幣を対象以外の紙幣としてリジェクト部２０にそれぞれ振り分ける。よって、一の処理の開始にあたって、どの金種の紙幣を集めたいかを一々操作入力する必要がなく、識別を開始させれば最初に識別された正券紙幣を基準紙幣としてこれと金種が一致する正券紙幣のみを集めることができる。したがって、同金種紙幣を集める場合の操作の簡素化を図ることができる。
【００３７】
また、集積部１８で受け取った紙幣を所定枚数集積して結束させることを目的とする紙幣結束機１１においては、結束に特化されたものであることからすでに金種分類等された状態にある紙幣を確認しながら結束させることになる場合が多いので上記のように最初に識別した紙幣を基準紙幣とするのに対して好適である。
【００３８】
次に、本発明の第２実施形態の紙幣取扱機を主に図３および図４を参照して第１実施形態との相違部分を中心に以下に説明する。なお、第１実施形態と同様の部分には同一の符号を付しその説明は略す。
【００３９】
ここで、第１実施形態について再度説明すると、第１実施形態では、制御部２２が、ホッパ１２にバラ紙幣が投入されたことをセンサ３３が検出することでこのセンサ３３で一の処理の開始が指示された後、最初に識別部１５で識別した正券の紙幣を基準紙幣とし、この基準紙幣と、正券であってこの基準紙幣と金種が一致する紙幣とを結束対象紙幣として集積部１８に、それ以外の紙幣をリジェクト部２０に振り分けるようになっている。つまり、第１実施形態では、制御部２２は、表裏の向きおよび天地の向きは問わずに同一金種の紙幣だけを結束対象紙幣とする同一金種処理モードで処理を行う設定に設定される。
【００４０】
これに対し、第２実施形態では、制御部２２が、第１実施形態で述べた同一金種処理モードで処理を行う第１の設定に加えて、ホッパ１２にバラ紙幣が投入されたことをセンサ３３が検出することでこのセンサ３３で一の処理の開始が指示された後、最初に識別部１５で識別した正券の紙幣を基準紙幣とし、この基準紙幣と、正券であってこの基準紙幣と金種および表裏の向きが一致する紙幣とを結束対象紙幣として集積部１８に、それ以外の紙幣をリジェクト部２０に振り分ける表裏取揃え処理モードで処理を行う第２の設定と、ホッパ１２にバラ紙幣が投入されたことをセンサ３３が検出することでこのセンサ３３で一の処理の開始が指示された後、最初に識別部１５で識別した正券の紙幣を基準紙幣とし、この基準紙幣と、正券であってこの基準紙幣と金種、表裏の向きおよび天地の向きが一致する紙幣とを結束対象紙幣として集積部１８に、それ以外の紙幣をリジェクト部２０に振り分ける表裏天地取揃え処理モードで処理を行う第３の設定とが選択的に切り替えられて実行可能となっている。
【００４１】
つまり、第２実施形態において、表示操作部２３には、図示は略すが同一金種処理モードを指定する際に操作される同一金種処理モード指定ボタンと、表裏取揃え処理モードを指定する際に操作される表裏取揃え処理モード指定ボタンと、表裏天地取揃え処理モードを指定する際に操作される表裏天地取揃え処理モード指定ボタンとが設けられている。
【００４２】
そして、制御部２２は、同一金種処理モード指定ボタンが操作された際には、図２に示すフローチャートにしたがった第１実施形態と同様の処理を行う。
【００４３】
また、制御部２２は、表裏取揃え処理モード指定ボタンが操作された際には、図３に示すフローチャートにしたがった処理を行う。
【００４４】
図３に示すフローチャートでは、図２に示すフローチャートのステップＳ１を、記憶していた結束対象金種設定および結束対象表裏設定を消去するステップＳａ１に変更し、また、ステップＳ７の結束対象金種設定がされているか否かの判定と、ステップＳ８の、結束対象金種設定がされていなければ、この紙幣を基準紙幣としてその金種を結束対象金種として設定し記憶する処理の後であって、ステップＳ９の結束対象であるか否かの判定の前に、ステップＳａ２およびステップＳａ３を行う。すなわち、ステップＳ７およびステップＳ８で結束対象金種を設定し記憶した後、結束対象表裏設定がされているか否かを判定し（ステップＳａ２）、結束対象表裏設定がされていなければ、この紙幣を基準紙幣としてその表裏の向きを結束対象表裏として設定し記憶する（ステップＳａ３）。
【００４５】
つまり、一の処理の開始にともないステップＳ１で結束対象金種設定および結束対象表裏設定が消去された後に、最初に識別部１５で金種、真偽、汚損、表裏および天地が識別された紙幣について、これが正券である場合に限り、制御部２２は、この紙幣を基準紙幣としてその金種を結束対象金種として設定しその表裏の向きを結束対象表裏として設定する。そして、ステップＳ９において、基準紙幣とされた紙幣を含みそれ以降の正券紙幣について、結束対象金種と一致しかつ結束対象表裏と一致する結束対象紙幣であるか、否かを判定することになる。
【００４６】
加えて、制御部２２は、表裏天地取揃え処理モード指定ボタンが操作された際には、図４に示すフローチャートにしたがった処理を行う。
【００４７】
図４に示すフローチャートでは、図２に示すフローチャートのステップＳ１を、記憶していた結束対象金種設定、結束対象表裏設定および結束対象天地設定を消去するステップＳｂ１に変更し、また、ステップＳ７およびステップＳ８の後であって、ステップＳ９の前に、第２実施形態のステップＳａ２およびステップＳａ３を行う上、これらの後にステップＳｂ２およびステップＳｂ３をさらに行う。すなわち、ステップＳ７およびステップＳ８で結束対象金種を設定し記憶した後、結束対象表裏設定がされているか否かを判定し（ステップＳａ２）、結束対象表裏設定がされていなければ、この紙幣を基準紙幣としてその表裏の向きを結束対象表裏として設定し記憶する（ステップＳａ３）。そして、さらに、結束対象天地設定がされているか否かを判定し（ステップＳｂ２）、結束対象天地設定がされていなければ、この紙幣を基準紙幣としてその天地の向きを結束対象天地として設定し記憶する（ステップＳｂ３）。
【００４８】
つまり、一の処理の開始にともないステップＳ１で結束対象金種設定、結束対象表裏設定および結束対象天地設定が消去された後に、最初に識別部１５で金種、真偽、汚損、表裏および天地が識別された紙幣について、これが正券である場合に限り、制御部２２は、この紙幣を基準紙幣としてその金種を結束対象金種として設定しその表裏の向きを結束対象表裏として設定し、さらにその天地の向きを結束対象天地として設定する。そして、ステップＳ９において、基準紙幣とされた紙幣を含みそれ以降の正券紙幣について、結束対象金種と一致しかつ結束対象表裏と一致しかつ結束対象天地と一致する結束対象紙幣であるか、否かを判定することになる。
【００４９】
なお、制御部２２は、同一金種処理モード指定ボタン、表裏取揃え処理モード指定ボタンおよび表裏天地取揃え処理モード指定ボタンのいずれかでモード設定が行われると、次に別のボタンで違うモードの設定が入力されるまで、設定状態を維持する。
【００５０】
また、上記以外にも、一の処理の開始後に、最初に識別部１５で金種、真偽、汚損、表裏および天地が識別された紙幣について、これが正券である場合に限り、これを基準紙幣としてその金種を結束対象金種とし、表裏および天地については、別途設定するようにしても良い。
【００５１】
つまり、基準紙幣と同じ金種の正券で、別途設定された所定の表裏方向のものだけを結束対象紙幣としたり、基準紙幣と同じ金種の正券で、別途設定された所定の表裏方向かつ所定の天地方向のものだけを結束対象紙幣としたりすることも可能である。例えば、結束部２５における結束テープの巻回位置が紙幣の集積時の方向によって決められ、しかも集積前に表裏や天地を取り揃える機構がない場合であって、結束テープおよびその印字・押印等の位置が紙幣の表裏および天地に対し決められている場合に、基準紙幣と金種が一致する正券であって予め設定された表裏の方向および天地の方向のものだけを集積部１８に集積させるようにするのである。この場合、金種を決めるための基準紙幣が向きによってはリジェクト部２０にリジェクトされることもある。なお、表裏、あるいは表裏天地を任意の向きに設定変更可能にすることもできる。また、結束方向に合う表裏天地のものだけを集積部１８に集積させるようにしても良い。
【００５２】
以上に述べた第２実施形態によれば、表示操作部２３の選択操作に応じて、制御部２２が、所定条件を金種とする第１の設定と、所定条件を金種および表裏の向きとする第２の設定と、所定条件を金種、表裏の向きおよび天地の向きとする第３の設定とに切り替えられる。そして、第１の設定とされると、制御部２２は、ホッパ１２にバラ紙幣が投入されたことをセンサ３３が検出することでこのセンサ３３で一の処理の開始が指示された後、最初に識別部１５で識別した正券紙幣を基準紙幣とし、この基準紙幣およびこの基準紙幣と金種が一致する紙幣を対象紙幣として集積結束部２６に、正券以外の紙幣および基準紙幣に対し金種が不一致の正券紙幣を対象以外の紙幣としてリジェクト部２０にそれぞれ振り分けることになり、一の処理の開始にあたって、どの金種の紙幣を集めたいかを一々操作入力する必要がなくなる。また、第２の設定とされると、ホッパ１２にバラ紙幣が投入されたことをセンサ３３が検出することでこのセンサ３３で一の処理の開始が指示された後、最初に識別部１５で識別した正券紙幣を基準紙幣とし、この基準紙幣およびこの基準紙幣と金種および表裏の向きが一致する正券紙幣を対象紙幣として集積結束部２６に、正券以外の紙幣、基準紙幣に対し金種が不一致の正券紙幣および基準紙幣に対し金種が一致して表裏の向きが不一致の正券紙幣を対象以外の紙幣としてリジェクト部２０にそれぞれ振り分けることになり、一の処理の開始にあたって、表裏取り揃えてどの金種の紙幣を集めたいかを一々操作入力する必要がなくなる。さらに、第３の設定とされると、ホッパ１２にバラ紙幣が投入されたことをセンサ３３が検出することでこのセンサ３３で一の処理の開始が指示された後、最初に識別部１５で識別した正券紙幣を基準紙幣とし、この基準紙幣およびこの基準紙幣と金種、表裏の向きおよび天地の向きが一致する紙幣を対象紙幣として集積結束部２６に、正券以外の紙幣、基準紙幣に対し金種が不一致の正券紙幣、基準紙幣に対し金種が一致して表裏の向きが不一致の正券紙幣および基準紙幣に対し金種が一致し表裏の向きが一致して天地の向きが不一致の正券紙幣を対象以外の紙幣としてリジェクト部２０にそれぞれ振り分けることになり、一の処理の開始にあたって、表裏および天地を取り揃えた状態でどの金種の紙幣を集めたいかを一々操作入力する必要がなくなる。このように、必要に応じてどの条件で紙幣を集めるかを切り替えることができる。
【図面の簡単な説明】
【００５３】
【図１】本発明の第１実施形態の紙幣取扱機の全体構成を概略的に示す側断面図である。
【図２】本発明の第１および第２実施形態の紙幣取扱機の制御内容を示すフローチャートである。
【図３】本発明の第２実施形態の紙幣取扱機の制御内容を示すフローチャートである。
【図４】本発明の第２実施形態の紙幣取扱機の制御内容を示すフローチャートである。
【符号の説明】
【００５４】
１２  ホッパ（投入部）
１３  繰出部
１４  搬送部
１５  識別部
２０  リジェクト部（第２受取部）
２２  制御部
２３  表示操作部（操作部）
２６  集積結束部（第１受取部）
３３  センサ（開始指示部）
【図１】
2005275748.tif 000003
【図２】
2005275748.tif 000004
【図３】
2005275748.tif 000005
【図４】
2005275748.tif 000006